(57)【要約】【課題】状態変化する筐体とシート支持部とを有する小型の装置を提供する。【解決手段】複合機１０は、筐体１６に対して回動可能に設けられた原稿カバー１７と、筐体１６の後面側に設けられて、原稿カバー１７と平行な回動軸線周りに回動する可動部６９と、中間状態を境界として、起立状態から中間状態の間では起立状態へ向けて付勢し、中間状態から倒伏状態の間では倒伏状態へ向けて付勢する連動機構１０１と、を具備する。起立状態の可動部６９は、原稿カバー１７が当接することによって、原稿カバー１７の開閉に追従して回動する。【選択図】図１５
2014209710.tif 000002
【特許請求の範囲】
【請求項１】
シートの搬送経路を有する第１筐体と、
上記搬送経路に沿ってシートを搬送する搬送部と、
上記第１筐体に対して移動可能に設けられた第２筐体と、
上記第１筐体における上記第２筐体の移動向き側に回動可能に設けられて、回動先端側が上記第２筐体に近い順に第１状態、第２状態及び第３状態に変化し、少なくとも当該第３状態において上記搬送経路へ給送されるシートを支持するシート支持部と、
上記シート支持部を第２状態を境界として、第１状態から第２状態の間では第１状態へ向けて付勢し、第２状態から第３状態の間では第３状態へ向けて付勢する付勢部と、を具備しており、
第１状態の上記シート支持部は、上記第１筐体に対して移動する上記第２筐体が当接することによって、第１状態と第２状態との間で上記シート支持部に追従するものであるシート搬送装置。
【請求項２】
シートの搬送経路を有する第１筐体と、
上記搬送経路に沿ってシートを搬送する搬送部と、
上記第１筐体に対して回動可能に設けられて、回動先端側が上記第１筐体に当接する当接状態及び回動先端側が上記第１筐体から離間する離間状態に変化する第２筐体と、
上記第１筐体における上記第２筐体の回動基端側に設けられて、上記第２筐体の回動軸線と平行な回動軸線周りに回動して、回動先端側が上記第２筐体に近い順に第１状態、第２状態及び第３状態に変化し、少なくとも当該第３状態において上記搬送経路へ給送されるシートを支持するシート支持部と、
上記シート支持部を第２状態を境界として、第１状態から第２状態の間では第１状態へ向けて付勢し、第２状態から第３状態の間では第３状態へ向けて付勢する付勢部と、を具備しており、
第１状態の上記シート支持部は、当接状態と離間状態との間で変化する上記第２筐体が当接することによって、第１状態と第２状態との間で上記シート支持部に追従するものであるシート搬送装置。
【請求項３】
上記付勢部は、上記シート支持部と共に回動しないカムと、上記シート支持部と共に回動するカムフォロワと、当該カムフォロワを上記カムへ付勢する弾性部材と、を有しており、上記カムは、上記シート支持部が第２状態であるときに上記弾性部材を最も弾性変形させ、上記弾性部材の付勢力を上記カムフォロワへ第１状態又は第３状態へ回動する力に変換するものである請求項１又は２に記載のシート搬送装置。
【請求項４】
上記付勢部は、上記シート支持部と共に回動するカムと、上記シート支持部と共に回動しないカムフォロワと、当該カムフォロワを上記カムへ付勢する弾性部材と、を有しており、上記カムは、上記シート支持部が第２状態であるときに上記弾性部材を最も弾性変形させ、上記弾性部材の付勢力を上記カムフォロワへ第１状態又は第３状態へ回動する力に変換するものである請求項１又は２に記載のシート搬送装置。
【請求項５】
上記カム及び上記カムフォロワは、上下方向に対向して配置されており、
上記カムのカム面は、上下方向の位置が変位したものである請求項４に記載のシート搬送装置。
【請求項６】
上記シート支持部は、第１状態と第２状態との間の回動角度が、第２状態と第３状態との間の回動角度より大きいものである請求項１から５のいずれかに記載のシート搬送装置。
【請求項７】
上記第２筐体は、上下方向において上記第１筐体の上方に配置されており、
上記シート支持部は、上下方向と直交する前後方向において上記第２筐体の後方に配置されており、
上記搬送部は、上記シート支持部に支持されているシートを前後方向の前方へ向かって搬送するものである請求項１から６のいずれかに記載のシート搬送装置。
【請求項８】
上記第１筐体に、プラテンを有するフラットベッドスキャナが設けられており、
上記第２筐体は、上記プラテンを覆う原稿カバーである請求項１から７のいずれかに記載のシート搬送装置。
【請求項９】
上記シート支持部は、シートを支持する支持面を有しており、第１状態において当該支持面が上記第１筐体の側面に近づいて起立し、第３状態において当該支持面が上記第１筐体の側面から離れる向きへ第１状態より倒伏して傾斜するものである請求項１から８のいずれかに記載のシート搬送装置。
【請求項１０】
上記シート支持部は、上記第１筐体の側壁に設けられた固定部と、当該固定部に対して回動可能な可動部と、を有しており、当該可動部が、第１状態、第２状態及び第３状態に変化するものである請求項１から９のいずれかに記載のシート搬送装置。
【請求項１１】
上記固定部は、上記搬送経路へ給送されるシートを支持する補助シート支持部を有する請求項１０に記載のシート搬送装置。
【請求項１２】
上記補助シート支持部は、上記シート支持部が第３状態であるときに、上記シート支持部へ向かって回動して上記固定部に支持されるものであり、
上記補助シート支持部に、シートの端を位置決めするためのサイドガイドが設けられており、
上記シート支持部が第３状態であるときに、上記補助シート支持部へ移動した上記第２筐体と上記サイドガイドとが当接するものである請求項１１に記載のシート搬送装置。
【請求項１３】
上記固定部は、上記シート支持部に支持されたシートを上記搬送経路へ給送する給送部を有する請求項１０から１２のいずれかに記載のシート搬送装置。
【請求項１４】
第１状態の上記シート支持部の支持面を覆うカバーを更に具備する請求項１から１３のいずれかに記載のシート搬送装置。
【請求項１５】
請求項１から１４いずれかに記載のシート搬送装置と、上記搬送経路においてシートに画像を記録する記録部と、を具備する画像記録装置。
【発明の詳細な説明】
【技術分野】
【０００１】
本発明は、搬送経路に沿ってシートを搬送するシート搬送装置、及びそれを備えた画像記録装置に関する。
【背景技術】
【０００２】
装置筐体の内部に搬送経路が形成されており、搬送経路に案内されて搬送されるシートに画像を記録する画像記録装置が知られている。画像記録装置には、複数枚のシートを支持する給紙カセットを有するものがある。また、給紙カセットとは別に、シートを搬送経路へ案内するための手差しトレイを有する画像記録装置がある（特許文献１，２）。
【０００３】
画像記録装置のメンテナンスや紙詰まりの解消のために、画像記録装置の筐体の一部が開閉される構成が採用されたり、また、画像記録装置がスキャナ機能を有する複合機として実現されている態様では、フラットベッドスキャナの原稿カバーが開閉される構成が採用され得る（特許文献１）。
【先行技術文献】
【特許文献】
【０００４】
【特許文献１】特開２０１２−１３２９号公報
【特許文献２】特開２００４−２２４４６３号公報
【発明の概要】
【発明が解決しようとする課題】
【０００５】
画像記録装置において開閉される筐体や原稿カバーなどが手差しトレイに衝突することがないように、筐体や原稿カバーの回動範囲を避けて手差しトレイを配置すると、画像記録装置が大型化するという問題がある。
【０００６】
本発明は、上記問題に鑑みてなされたものであり、その目的は、状態変化する筐体とシート支持部とを有する小型の装置を提供することにある。
【課題を解決するための手段】
【０００７】
(1)  本発明に係るシート搬送装置は、シートの搬送経路を有する第１筐体と、上記搬送経路に沿ってシートを搬送する搬送部と、上記第１筐体に対して移動可能に設けられた第２筐体と、上記第１筐体における上記第２筐体の移動向き側に回動可能に設けられて、回動先端側が上記第２筐体に近い順に第１状態、第２状態及び第３状態に変化し、少なくとも当該第３状態において上記搬送経路へ給送されるシートを支持するシート支持部と、上記シート支持部を第２状態を境界として、第１状態から第２状態の間では第１状態へ向けて付勢し、第２状態から第３状態の間では第３状態へ向けて付勢する付勢部と、を具備する。第１状態の上記シート支持部は、上記第１筐体に対して移動する上記第２筐体が当接することによって、第１状態と第２状態との間で上記シート支持部に追従する。
【０００８】
第１筐体に対して第２筐体が移動する過程において第２筐体が当接することによって、シート支持部が第１状態と第２状態との間で回動する。付勢部は、第２状態と境界としてシート支持部を第１状態側へ付勢しているので、第２筐体の状態変化にシート支持部が追従する。第２筐体が当接状態であるときに、ユーザにより、第２筐体が移動されてシート支持部が第１状態から第２状態を超えて第３状態側まで回動されると、付勢部がシート支持部を第３状態側へ付勢しているので、シート支持部が第３状態に保持される。これにより、第２筐体の移動範囲にシート支持部を配置することができる。
【０００９】
(2)  本発明に係るシート搬送装置は、シートの搬送経路を有する第１筐体と、上記搬送経路に沿ってシートを搬送する搬送部と、上記第１筐体に対して回動可能に設けられて、回動先端側が上記第１筐体に当接する当接状態及び回動先端側が上記第１筐体から離間する離間状態に変化する第２筐体と、上記第１筐体における上記第２筐体の回動基端側に設けられて、上記第２筐体の回動軸線と平行な回動軸線周りに回動して、回動先端側が上記第２筐体に近い順に第１状態、第２状態及び第３状態に変化し、少なくとも当該第３状態において上記搬送経路へ給送されるシートを支持するシート支持部と、上記シート支持部を第２状態を境界として、第１状態から第２状態の間では第１状態へ向けて付勢し、第２状態から第３状態の間では第３状態へ向けて付勢する付勢部と、を具備する。第１状態の上記シート支持部は、当接状態と離間状態との間で変化する上記第２筐体が当接することによって、第１状態と第２状態との間で上記シート支持部に追従する。
【００１０】
第２筐体が当接状態と離間状態との間で状態変化すると、第２筐体が当接することによって、シート支持部が第１状態と第２状態との間で回動する。付勢部は、第２状態を境界としてシート支持部を第１状態側へ付勢しているので、第２筐体の状態変化にシート支持部が追従する。第２筐体が当接状態であるときに、ユーザにより、第２筐体が第１状態から第２状態を超えて第３状態側まで回動されると、付勢部がシート支持部を第３状態側へ付勢しているので、シート支持部が第３状態に保持される。これにより、第２筐体の回動範囲にシート支持部を配置することができる。
【００１１】
(3)  上記付勢部は、上記シート支持部と共に回動しないカムと、上記シート支持部と共に回動するカムフォロワと、当該カムフォロワを上記カムへ付勢する弾性部材と、を有しており、上記カムは、上記シート支持部が第２状態であるときに上記弾性部材を最も弾性変形させ、上記弾性部材の付勢力を上記カムフォロワへ第１状態又は第３状態へ回動する力に変換するものであってもよい。
【００１２】
これにより、付勢部が簡易な構成で実現される。
【００１３】
(4)  上記付勢部は、上記シート支持部と共に回動するカムと、上記シート支持部と共に回動しないカムフォロワと、当該カムフォロワを上記カムへ付勢する弾性部材と、を有しており、上記カムは、上記シート支持部が第２状態であるときに上記弾性部材を最も弾性変形させ、上記弾性部材の付勢力を上記カムフォロワへ第１状態又は第３状態へ回動する力に変換するものであってもよい。
【００１４】
これにより、付勢部が簡易な構成で実現される。
【００１５】
(5)  上記カム及び上記カムフォロワは、上下方向に対向して配置されており、上記カムのカム面は、上下方向の位置が変位したものであってもよい。
【００１６】
(6)  上記シート支持部は、第１状態と第２状態との間の回動角度が、第２状態と第３状態との間の回動角度より大きいものであってもよい。
【００１７】
これにより、シート支持部が第２筐体の回動に追従する範囲が大きくなるので、第２筐体の回動範囲を大きくすることができる。
【００１８】
(7)  上記第２筐体は、上下方向において上記第１筐体の上方に配置されており、上記シート支持部は、上下方向と直交する前後方向において上記第２筐体の後方に配置されており、上記搬送部は、上記シート支持部に支持されているシートを前後方向の前方へ向かって搬送するものであってもよい。
【００１９】
第２筐体が第１筐体の上方に配置されているので、第２筐体の操作が容易である。また、シート支持部が第２筐体の後方に配置されており、第２筐体の回動軸もシート支持部側、つまり第２筐体の後方であるので、第２筐体を離間状態にすると、第２筐体の前方から第１筐体へアクセスすることができる。また、第２筐体に追従して回動するシート支持部が、前方から第２筐体を操作するユーザ側へ回動することがない。また、シート支持部からシートが第１筐体の前方へ向かって搬送されるので、ユーザが、搬送後のシートに第１筐体の前方からアクセスすることができる。
【００２０】
(8)  上記第１筐体に、プラテンを有するフラットベッドスキャナが設けられており、上記第２筐体は、上記プラテンを覆う原稿カバーであってもよい。
【００２１】
これにより、使用頻度が比較的高いフラットベッドスキャナを備えた構成において、原稿カバーの回動範囲にシート支持部を配置することができる。
【００２２】
(9)  上記シート支持部は、シートを支持する支持面を有しており、第１状態において当該支持面が上記第１筐体の側面に近づいて起立し、第３状態において当該支持面が上記第１筐体の側面から離れる向きへ第１状態より倒伏して傾斜するものであってもよい。
【００２３】
これにより、第１状態のシート支持部を効率的に小型化することができる。
【００２４】
(10)  上記シート支持部は、上記第１筐体の側壁に設けられた固定部と、当該固定部に対して回動可能な可動部と、を有しており、当該可動部が、第１状態、第２状態及び第３状態に状態変化するものであってもよい。
【００２５】
(11)  上記固定部は、上記搬送経路へ給送されるシートを支持する補助シート支持部を有するものであってもよい。
【００２６】
これにより、シート支持部及び補助シート支持部を第２筐体の回動範囲に配置することができる。
【００２７】
(12)  上記補助シート支持部は、上記シート支持部が第３状態であるときに、上記シート支持部へ向かって回動して上記固定部に支持されるものであり、上記補助シート支持部に、シートの端を位置決めするためのサイドガイドが設けられており、上記シート支持部が第３状態であるときに、上記補助シート支持部へ移動した上記第２筐体と上記サイドガイドとが当接するものであってもよい。
【００２８】
これにより、第３状態の第２筐体が補助シートの支持されたシートと当接することが防止される。また、第２筐体がサイドガイドを介して固定部に支持される。
【００２９】
(13)  上記固定部は、上記シート支持部に支持されたシートを上記搬送経路へ給送する給送部を有するものであってもよい。
【００３０】
給送部が可動部と共に回動しないので、給送部への駆動伝達が安定する。
【００３１】
(14)  本シート搬送装置は、第１状態の上記シート支持部の支持面を覆うカバーを更に具備していてもよい。
【００３２】
これにより、第１状態のシート支持部の支持面側から第１筐体へ塵埃が進入することが防止される。
【００３３】
(15)  本発明に係る画像記録装置は、上記シート搬送装置と、上記搬送経路においてシートに画像を記録する記録部と、を具備する。
【発明の効果】
【００３４】
本発明によれば、状態変化する筐体とシート支持部とを有する小型の装置が実現される。
【図面の簡単な説明】
【００３５】
【図１】図１は、可動部６９が起立状態の複合機１０の外観斜視図である。
【図２】図２は、可動部６９が倒伏状態の複合機１０の外観斜視図である。
【図３】図３は、可動部６９が起立状態であり、側壁８６が除かれた状態の複合機１０の外観斜視図である。
【図４】図４は、可動部６９が除かれた状態の複合機１０の後面側の外観斜視図である。
【図５】図５は、プリンタ部１１の内部構造を示す縦断面図である。
【図６】図６は、可動部６９が起立状態のバイパストレイ７０及び手差しトレイ８０の内部構造を示す拡大縦断面図である。
【図７】図７は、可動部６９が倒伏状態のバイパストレイ７０及び手差しトレイ８０の内部構造を示す拡大縦断面図である。
【図８】図８は、可動部６９が倒伏状態であり、後面カバー２２及び外側ガイド部材１８が開放された状態のバイパストレイ７０及び手差しトレイ８０の内部構造を示す拡大縦断面図である。
【図９】図９は、可動部６９が除かれた状態のバイパストレイ７０及び手差しトレイ８０の内部構造を示す拡大縦断面図である。
【図１０】図１０は、連動機構１０１の構造を示す模式断面図である。
【図１１】図１１は、可動部６９が起立状態における連動機構１０１の構造を示す平面図である。
【図１２】図１２は、可動部６９が原稿カバー１７に追従して中間状態へ向かって回動したときの連動機構１０１の構造を示す平面図である。
【図１３】図１３は、可動部６９が倒伏状態における連動機構１０１の構造を示す平面図である。
【図１４】図１４は、原稿カバー１７が閉じられており、可動部６９が起立状態の複合機１０の側面図である。
【図１５】図１５は、原稿カバー１７が開かれて、可動部６９が追従した状態の複合機１０の側面図である。
【図１６】図１５は、原稿カバー１７が閉じられており、可動部６９が倒伏状態の複合機１０の側面図である。
【図１７】図１７は、第２実施形態において、原稿カバー１７が閉じられており、可動部６９が起立状態の複合機１０の拡大断面図である。
【図１８】図１８は、第２実施形態において、原稿カバー１７が開かれて、可動部６９が追従した状態の複合機１０の拡大断面図である。
【図１９】図１９は、第２実施形態において、原稿カバー１７が閉じられており、可動部６９が倒伏状態の複合機１０の拡大断面図ある。
【図２０】図２０は、スキャナ部１２がプリンタ部１１に対して平行リンク１２１によって移動可能に構成された変形例を示す側面図である。
【発明を実施するための形態】
【００３６】
以下、本発明の実施形態に係る複合機１０について説明する。なお、以下に説明される実施形態は本発明の一例にすぎず、本発明の要旨を変更しない範囲で、実施形態を適宜変更できることは言うまでもない。また、以下の説明では、矢印の起点から終点に向かう進みが向きと表現され、矢印の起点と終点とを結ぶ線上の往来が方向と表現される。また、以下の説明においては、複合機１０（本発明の画像記録装置の一例）が使用可能に設置された状態（図１の状態）を基準として上下方向７が定義され、開口１３が設けられている側を手前側（前面）として前後方向８が定義され、複合機１０を手前側（前面）から視て左右方向９が定義される。
【００３７】
［複合機１０の全体構成］
図１に示されるように、複合機１０は、概ね直方体に形成されており、インクジェット記録方式で記録用紙などのシートに画像を記録するプリンタ部１１を備えている。複合機１０は、ファクシミリ機能及びプリント機能などの各種の機能を有している。プリンタ部１１が画像記録装置に相当する。
【００３８】
プリンタ部１１は、前面に開口１３が形成された筐体１４を有している。また、各種サイズの記録用紙を載置可能な給送トレイ２０及び排出トレイ２１が、開口１３から前後方向８に挿抜可能である。
【００３９】
図５に示されるように、プリンタ部１１は、給送トレイ２０から記録用紙を給送する給送部１５、記録用紙に画像を記録する記録部２４、第１搬送ローラ対５４、及び第２搬送ローラ対５５などを備えている。記録部２４以外の給送部１５、第１搬送ローラ対５４、及び第２搬送ローラ対５５、給送トレイ２０、バイパストレイ７０、手差しトレイ８０、スキャナ部１２によってシート搬送装置が構成されている。
【００４０】
図１に示されるように、プリンタ部１１の上方には、スキャナ部１２が設けられている。スキャナ部１２の筐体１６の前後方向８及び左右方向９の寸法は、プリンタ部１１の筐体１４と同じである。したがって、スキャナ部１２を上方として、プリンタ部１１の筐体１４及びスキャナ部１２の筐体１６が一体となって、複合機１０の概ね直方体形状の外形を形成している。筐体１４及び筐体１６が第１筐体に相当する。
【００４１】
図５に示されるように、スキャナ部１２は、フラットベッドスキャナである。筐体１６の内部には、原稿の画像を光学的に読み取り可能なイメージセンサ３４が設けられている。筐体１６の上面には原稿が載置されるプラテンガラス３０が設けられている。プラテンガラス３０は、原稿カバー１７によって覆われている。図１及び図５では、プラテンガラス３０が原稿カバー１７によって覆われた状態が示されている。
【００４２】
原稿カバー１７は、筐体１６の後面側に連結されており、左右方向９に沿った回動軸周りに回動可能である。図１に示されるように、原稿カバー１７は、筐体１６の上面に当接することによって、プラテンガラス３０を覆った状態に維持される（当接状態）。図１に示される状態から、原稿カバー１７の前面側が上方へ持ち上げられることによって、原稿カバー１７が回動されてプラテンガラス３０が露出される（離間状態）。なお、原稿カバー１７には、画像読み取りを行う複数枚の原稿を１枚ずつピックアップして搬送する自動原稿搬送装置（ＡＤＦ）が設けられていてもよい。原稿カバー１７が、第２筐体に相当する。
【００４３】
［プリンタ部１１］
以下、プリンタ部１１の詳細な構造が説明される。
【００４４】
［給送トレイ２０］
給送トレイ２０は、前後方向８及び左右方向９の長さが上下方向７の長さよりも長い外形であって、上方が開放された箱形状のものである。給送トレイ２０の前側には、排出トレイ２１が載置されている。給送トレイ２０には、例えば日本工業規格によるＡ４サイズから写真記録に用いられるＬ版などの大小様々なサイズの記録用紙が載置可能である。給送トレイ２０は、筐体１４の開口１３に通ずる内部空間に収容されている。給送トレイ２０は、開口１３を通じて筐体１４に対して前後方向８に沿って進退可能である。
【００４５】
［給送部１５］
図５に示されるように、給送部１５は、給送ローラ２５、給送アーム２６、駆動伝達機構２７及び分離パッド２３を備えている。給送部１５は、給送トレイ２０の上方であって記録部２４の下方に設けられている。給送ローラ２５は、給送アーム２６の先端部で軸支されている。給送アーム２６は、基端部に設けられた軸２８を中心として、矢印２９の方向に回動する。これにより、給送ローラ２５は、給送トレイ２０の底面に当接及び離間が可能である。給送ローラ２５は、給送トレイ２０に載置された記録用紙に当接可能である。給送トレイ２０の底面であって、給送ローラ２５と対向する位置には分離パッド２３が設けられている。分離パッド２３は、記録用紙に対して、給送トレイ２０の底面より大きな摩擦係数を有する部材である。
【００４６】
給送ローラ２５には、モータ（不図示）の駆動力が駆動伝達機構２７を通じて伝達される。駆動伝達機構２７は、軸２８に伝達された回転を無端ベルトにより給送ローラ２５の軸へ伝達する。給送ローラ２５が、給送トレイ２０の底面上に積載された記録用紙のうち一番上側の記録用紙に当接された状態で回転することにより、当該記録用紙が搬送経路６５へ給送される。記録用紙が搬送経路６５へ給送されるとき、記録用紙の先端が、給送トレイ２０の前後方向８の後側に設けられた分離部材３５と当接することにより、下側の記録用紙が一番上側の記録用紙に引き摺られることなく給送トレイ２０に保持される。最も下側の記録用紙は、分離パッド２３との間に生ずる摩擦力によって、直ぐ上の記録用紙が給送されるときに引き摺られることがない。
【００４７】
［搬送経路６５］
図５に示されるように、筐体１４の内部空間に設けられた搬送経路６５は、給送トレイ２０の後側から上方へＵターンするように湾曲して延び、さらにプリンタ部１１の後ろ側から前側へ曲がってほぼ真っ直ぐに延びて排出トレイ２１に至っている。搬送経路６５は、Ｕターンする湾曲路６５Ａと、真っ直ぐな直線路６５Ｂとに大別される。
【００４８】
湾曲路６５Ａは、シートが通過可能な空間を隔てて対向する外側ガイド部材１８、内側ガイド部材１９、及びガイド部材３１によって形成されている。直線路６５Ｂは、シートが通過可能な空間を隔てて対向する記録部２４及びプラテン４２、並びにガイド部材３２及びガイド部材３３によって形成されている。
【００４９】
給送トレイ２０の給送ローラ２５によって搬送経路６５に給送された記録用紙は、湾曲路６５Ａに案内されて下方から上方へ向かって搬送向きが反転され、直線路６５Ｂに案内されて搬送向きが反転することなく後方から前方へ向かって搬送される。
【００５０】
外側ガイド部材１８は、湾曲路６５Ａにおける外側の案内面を構成する部材である。内側ガイド部材１９は、湾曲路６５Ａにおける内側の案内面を構成する部材である。なお、各案内面は、１つの面で構成されていてもよいし、複数のリブの先端面の群として構成されていてもよい。
【００５１】
ガイド部材３１は、第１搬送ローラ対５４の直上流（後ろ側）において内側ガイド部材１９の上方に配置されている。外側ガイド部材１８及びガイド部材３１は、後述されるバイパス経路６６を区画する部材でもある。
【００５２】
［後面カバー２２］
後面カバー２２は、外側ガイド部材１８を支持して筐体１４の後面の一部を構成する部材である。後面カバー２２は、下側の左右両端において筐体１４に軸支されている。図８に示されるように、後面カバー２２は、下側の左右方向９に沿った回動軸周りに、上側が後ろ向きへ倒伏するようにして搬送経路６５及び後述されるバイパス経路６６を外方へ開放可能である。
【００５３】
外側ガイド部材１８も、後面カバー２２と同様に、下側の左右両端において筐体１４に軸支されている。後面カバー２２が開放された状態において、外側ガイド部材１８も、下側の左右方向９に沿った回動軸周りに、上側が後ろ向きへ倒伏するようにして開放可能である。外側ガイド部材１８が開放されることによって、湾曲路６５Ａが開放される。図５に示されるように、後面カバー２２が起立されて閉じられると、外側ガイド部材１８は、後面カバー２２に後方から支持されて起立状態に維持され、内側ガイド部材１９と対向して湾曲路６５Ａを区画する。
【００５４】
［第１搬送ローラ対５４及び第２搬送ローラ対５５］
図５に示されるように、搬送経路６５における記録部２４よりも搬送向き（前後方向８の前向き）の上流側には、第１搬送ローラ対５４が設けられている。第１搬送ローラ対５４は、第１搬送ローラ６０とピンチローラ６１とを有する。搬送経路６５において、記録部２４よりも搬送向きの下流側には、第２搬送ローラ対５５が設けられている。第２搬送ローラ対５５は、第２搬送ローラ６２と拍車６３とを有する。第１搬送ローラ６０及び第２搬送ローラ６２は、モータ（不図示）の回転が伝達されて回転する。第１搬送ローラ対５４及び第２搬送ローラ対５５は、それぞれを構成する各ローラの間に記録用紙を挟持した状態において、第１搬送ローラ６０及び第２搬送ローラ６２が回転することによって、記録用紙を搬送する。第１搬送ローラ対５４及び第２搬送ローラ対５５は搬送部に相当する。
【００５５】
［記録部２４］
図５に示されるように、第１搬送ローラ対５４と第２搬送ローラ対５５との間において、記録部２４は、プラテン４２と対向して直線路６５Ｂの上側に設けられている。記録部２４は、キャリッジ４１と記録ヘッド３９とを備えている。キャリッジ４１は、プラテン４２の後側及び前側に設けられたガイドレール４３，４４によって支持されている。ガイドレール４４には、公知のベルト機構が設けられている。キャリッジ４１は、ベルト機構の無端ベルトと連結されており、無端ベルトの回動によってガイドレール４３，４４に沿って左右方向９に移動する。
【００５６】
記録ヘッド３９は、キャリッジ４１に搭載されている。記録ヘッド３９の下面には、複数のノズル（不図示）が形成されている。記録ヘッド３９には、インクカートリッジ（不図示）からインクが供給される。記録ヘッド３９は、複数のノズルからインクを微小なインク滴として選択的に吐出する。キャリッジ４１が左右方向９へ移動しているときに、ノズルからプラテン４２に支持されている記録用紙に対してインク滴が吐出される。吐出されたインク滴がプラテン４２上の記録用紙に付着することにより、記録用紙に画像が記録される。
【００５７】
［バイパス経路６６］
筐体１４の後面において後面カバー２２の上方に開口６４が設けられており、開口６４から第１搬送ローラ対５４へ延びるバイパス経路６６が筐体１４の内部に形成されている。バイパス経路６６は、前後方向８の後方から前方へ斜め下方に向かって延びる経路である。バイパス経路６６の上側の案内面は、ガイド部材３１によって形成されており、下側の案内面は外側ガイド部材１８及び後面カバー２２によって形成されている。搬送経路６５の湾曲路６５Ａ及び直線路６５Ｂは、いずれもバイパス経路６６より下方に配置されている。外側ガイド部材１８及び後面カバー２２は、上側が後ろ向きへ倒伏するように回動することによって、搬送経路６５と共にバイパス経路６６を開放する。
【００５８】
後述されるバイパストレイ７０及び手差しトレイ８０に載置された記録用紙は、バイパス経路６６を通じて斜め下方へ案内されて搬送経路６５の直線路６５Ｂに進入し、第１搬送ローラ対５４により搬送されつつ記録部２４によって画像記録が行われて、排出トレイ２１へ排出される。このように、バイパストレイ７０及び手差しトレイ８０に載置された記録用紙は、ほぼ直線形状の経路を搬送される。
【００５９】
［バイパストレイ７０及び手差しトレイ８０］
複合機１０の後面側には、バイパストレイ７０及び手差しトレイ８０が設けられている。バイパストレイ７０及び手差しトレイ８０は、給送トレイ２０とは独立して記録用紙を支持するものである。バイパストレイ７０は、手差しトレイ８０を上方として、複合機１０の後面側に上下方向７に並んで配置されている。バイパストレイ７０がシート支持部に相当する。手差しトレイ８０が補助シート支持部に相当する。
【００６０】
図１及び図６に示されるように、スキャナ部１２の筐体１６の後面側には、開口６４を覆うようにして下方へ延びる固定部６８が形成されている。固定部６８は、バイパストレイ７０及び手差しトレイ８０の搬送向き下流側の一部を構成している。固定部６８の上側には、可動部６９が回動可能に設けられている。固定部６８及び可動部６９によって、バイパストレイ７０及び手差しトレイ８０が構成されている。
【００６１】
図４及び図９に示されるように、固定部６８の上面には、左右方向９へ延びるスリット形状の開口６７が形成されている。開口６７からバイパス経路６６へ向かって通路が形成されている。通路の下側には、手差しトレイ８０の支持面８１を形成する支持部材８２が設けられている。支持面８１は、複合機１０が載置される載置面に対して下端ほど前方に向かうように傾斜している。通路の上側には、支持面８１と対向するガイド部材８３が設けられている。支持部材８２とガイド部材８３とによって区画された通路は、開口６７から斜め下方へ延びてバイパス経路６６へ接続されている。支持部材８２の下端は、バイパス経路６６の上側のガイド面の一部を形成している。支持面８１が支持面に相当する。なお、本実施形態において複合機１０が載置される載置面は、左右方向８と前後方向９とに沿って拡がる面である。
【００６２】
固定部６８における支持部材８２の下方には、分離片７２が設けられている。分離片７２は、上下方向７において開口６４の下端周縁と同等の高さに位置されている。分離片７２は、開口６４の下端周縁から斜め下方へ延出されている。分離片７２の上面は、バイパストレイ７０に支持される記録用紙の先端が当接する面である。分離片７２の上面には、複数の歯７３が前後方向８に沿って並んで、上面から上方へ突出されている。歯７３によって、バイパストレイ７０に支持される複数枚の記録用紙の先端が捌かれる。
【００６３】
分離片７２の上方には、開口６４から後方へ離間されて、バイパストレイ７０の支持面７４を形成する支持部材７５が設けられている。支持面７４は、複合機１０が載置される載置面に対して傾斜している。支持面７４は、手差しトレイ８０の支持面８１とほぼ平行である。支持面７４が支持面に相当する。
【００６４】
支持部材８２の上端側であって支持面８１と反対側には、給送ローラ７６の駆動軸７７を回転可能に支持する軸受け部７１が設けられている。軸受け部７１に支持された駆動軸７７は、不図示のモータから駆動伝達部７９（図３及び図４参照）を介して駆動伝達されて回転する。
【００６５】
図３及び図４に示されるように、固定部６８の左右方向９の右側には、複数のピニオンギアからなる駆動伝達部７９が設けられている。駆動伝達部７９は、プリンタ部１１の筐体１４の内部に設けられたモータ（不図示）から駆動伝達されている。駆動軸７７（図６から図９参照）は、左右方向９に沿って延出されており、その一端が駆動伝達部７９を構成するピニオンギアと噛合している。駆動軸７７の他端は、固定部６８において左右方向９の中央まで延出されている。
【００６６】
駆動軸７７には、他端側には給送ローラ７６を回転可能に支持するアーム７８が設けられている。アーム７８は、駆動軸７７から支持部材７５の支持面７４へ向かって下方へ延出されている。アーム７８は、固定部６８において左右方向９の中央に配置されている。アーム７８は駆動軸７７周りに回動自在である。
【００６７】
アーム７８の回動先端側には給送ローラ７６が設けられている。給送ローラ７６は、駆動軸７７と不図示の無端ベルトによって連結されている。駆動軸７７の回転が無端ベルトによって給送ローラ７６に伝達され、給送ローラ７６が回転する。給送ローラ７６が、バイパストレイ７０の支持面７４に支持された記録用紙のうち一番上側の記録用紙に当接された状態で回転することにより、当該記録用紙がバイパス経路６６へ給送される。下側の記録用紙は、分離片７２の歯７３によって捌かれて、一番上側の記録用紙に引き摺られることなくバイパストレイ７０に保持される。このように、給送ローラ７６、駆動軸７７、及びアーム７８から構成される給送部が、筐体１４の外側であって支持面７４，８１によって区画される空間に配置されている。
【００６８】
支持部材８２の上端側であって支持面８１側には、補強部材８４が設けられている。支持部材８２の上端側には、支持面８１と段差を形成する凹部８５が設けられている。凹部８５に補強部材８４が設けられている。補強部材８４は、金属板を折り曲げた部材であり、支持部材８２の剛性を補強するためのものである。補強部材８４は、支持面８１に沿って支持部材８２の左右方向９に延出されており、その両端が支持部材８２の両端付近に到達している。補強部材８４が延出された左右方向９は、手差しトレイ８０において記録用紙が搬送される向きと直交している。
【００６９】
図２及び図７に示されるように、可動部６９は、固定部６８の上側に回動可能に連結されている。可動部６９は、図１及び図６に示されるように上下方向７に沿って起立した起立状態（第１状態）と、図２及び図７に示されるように上下方向７に対して傾斜した倒伏状態（第３状態）との間で回動可能である。起立状態は、バイパストレイ７０及び手差しトレイ８０を使用しないときに、筐体１４の後面側における可動部６９のためのスペースを小さくするための状態である。起立状態である可動部６９の後面は、筐体１４の後面と略平行となっている。倒伏状態は、可動部６９を筐体１４の外側へ向かって斜め上方へ傾斜させることにより、支持面７４，８１を傾斜した１つの平面として、バイパストレイ７０及び手差しトレイ８０を使用可能にするための状態である。可動部６９を起立状態とするか倒伏状態とするかは、ユーザの操作によって任意に選択可能である。
【００７０】
可動部６９の左右方向９の両側には、側壁８６，８７が設けられている。側壁８６，８７は、固定部６８の左右方向９の両側の一部を覆っている。固定部６８の左右方向９の右側に設けられた駆動伝達部７９は、可動部６９の側壁８６によって覆われている。
【００７１】
可動部６９の側壁８６，８７の間に渡って、支持部材８８が設けられている。倒伏状態において、支持部材８８の上面である支持面９０は、支持面７４と同一の平面をなす。つまり、バイパストレイ７０において、支持面７４及び支持面９０によって形成される面が記録用紙を支持する。また、起立状態において、支持面９０は、複合機１０の載置面に対して直交する、つまり上下方向７及び左右方向９に沿った状態となる。
【００７２】
可動部６９の支持面９０の搬送向きに沿った長さＬ１は、固定部６８の支持面７４の搬送向きに沿った長さＬ２よりも長い（Ｌ１＞Ｌ２）。長さＬ１と長さＬ２を合計した長さは、バイパストレイ７０に支持可能な記録用紙のサイズに合わせて設定される。
【００７３】
図２に示されるように、可動部６９の側壁８６，８７の間に渡って支持部材８９が設けられている。支持部材８９は、その下端側が固定部６８に回動可能に支持されており、可動部６９とは独立して回動される。支持部材８９は、支持面９０が上下方向７に沿って垂直になる起立状態と、支持面９０が載置面に対して傾く倒伏状態に状態が変化する。倒伏状態において、支持部材８９は、固定部６９に左右方向９に渡って設けられた補助部材１２０に支持される。
【００７４】
倒伏状態において、支持部材８９の上面である支持面９１は、支持面８１と共に記録用紙を支持する支持面をなす。つまり、手差しトレイ８０において、支持面８１及び支持面９１によって形成される面が記録用紙を支持する。また、起立状態において、支持面９１は、複合機１０の載置面に対して直交する、つまり上下方向７及び左右方向９に沿った状態となる。
【００７５】
支持部材８９の支持面９１の搬送向きに沿った長さＬ３は、固定部６８の支持面８１の搬送向きに沿った長さＬ４よりも短い（Ｌ３＜Ｌ４）。長さＬ３と長さＬ４を合計した長さは、手差しトレイ８０に支持可能な記録用紙のサイズに合わせて設定される。
【００７６】
支持部材８８には、サイドガイド９２が設けられている。サイドガイド９２は、左右方向９に離間されて一対をなしており、支持面９０から上方へ突出されている。サイドガイド９２は、バイパストレイ７０の搬送向きに沿って延出されたガイド面を有しており、そのガイド面によって、支持面９０に支持された記録用紙の端縁を搬送向きへ案内する。一対のサイドガイド９２が左右方向９に沿って離間する距離は可変である。これにより、支持面９０に支持された様々なサイズの記録用紙の端縁をサイドガイド９２が案内することができる。
【００７７】
支持部材８９には、サイドガイド９３が設けられている。サイドガイド９３は、左右方向９に離間されて一対をなしており、支持面９１から上方へ突出されている。サイドガイド９３は、手差しトレイ８０の搬送向きに沿って延出されたガイド面を有しており、そのガイド面によって、支持面９１に支持された記録用紙の端縁を搬送向きへ案内する。一対のサイドガイド９３が左右方向９に沿って離間する距離は可変である。これにより、支持面９１に支持された様々なサイズの記録用紙の端縁をサイドガイド９３が案内することができる。
【００７８】
支持部材８８の上端には、トレイカバー９４が設けられている。トレイカバー９４は、支持部材８８に対して回動可能に設けられている。トレイカバー９４は、バイパストレイ７０及び手差しトレイ８０の上端側の開口を封止可能な平板形状の部材である。図１及び図６に示されるように、トレイカバー９４は、起立状態の可動部６９においてバイパストレイ７０及び手差しトレイ８０の上端側の開口を覆う位置に回動可能である。また、図２及び図７に示されるように、トレイカバー９４は、倒伏状態の可動部６９においてバイパストレイ７０及び手差しトレイ８０の上端側の開口を開放する位置に回動可能である。この位置において、トレイカバー９４の内面は、バイパストレイ７０の支持面９０と平行に斜め上方へ延びており、支持面９０から突出した記録用紙の上端側を支持可能である。
【００７９】
［連動機構１０１］
図１０及び図１１に示されるように、固定部６８及び可動部６９には、連動機構１０１が設けられている。連動機構１０１は、可動部６９を、起立状態と倒伏状態との間である中間状態（第２状態）を境界として、起立状態から中間状態の間では起立状態へ向けて付勢し、中間状態から倒伏状態の間では倒伏状態へ向けて付勢するものである。連動機構１０１が付勢部に相当する。
【００８０】
連動機構１０１は、可動部６９の側壁８６，８７付近に一対が設けられている。一対の連動機構１０１は、左右方向９において線対称な構成であるので、以下には一方の連動機構１０１の構成のみが説明される。
【００８１】
連動機構１０１は、固定部６８に設けられたカム１０２と、可動部６９に設けられたカムフォロワ１０３と、カムフォロワ１０３をカム１０２へ向けて付勢するコイルバネ１０４と、を有する。コイルバネ１０４が、弾性部材に相当する。コイルバネ１０４は、可動部６９に設けられたバネ座１０８とカムフォロワ１０３との間において、左右方向９に沿って伸縮可能に設けられている。固定部６８に対する可動部６９の回動と共に、カムフォロワ１０３及びコイルバネ１０４が移動する。
【００８２】
カム１０２は、可動部６９の回動軌跡に沿って、可動部６９へ向かって突出する幅が変動する凸形状である。カム１０２の突出先端には、傾斜面１０５，１０６が設けられている。傾斜面１０５，１０６は、いずれも上下方向７に沿った面である。
【００８３】
傾斜面１０５は、前後方向８の前側に位置しており、前端が後端よりも左右方向９においてバネ座１０８から遠い平面である。つまり、傾斜面１０５は、後ろ側が左右方向９においてバネ座１０８に向かって迫り出すように傾斜した平面である。傾斜面１０６は、前後方向８の後ろ側に位置して傾斜面１０５と連続しており、前端が後端よりも左右方向９においてバネ座１０８から近い平面である。つまり、傾斜面１０６は、後ろ側が左右方向９においてバネ座１０８から離間するように傾斜した平面である。
【００８４】
傾斜面１０５の前後方向８に沿った長さは、傾斜面１０６の前後方向８に沿った長さよりも長い。換言すると、傾斜面１０５が前後方向８に対して傾斜する角度は、傾斜面１０６が前後方向８に対して傾斜する角度より小さい。したがって、カムフォロワ１０３に対して、傾斜面１０５は、傾斜面１０６より緩やかな傾斜をなしている。
【００８５】
傾斜面１０５と傾斜面１０６との境界は、凸形状の稜線１０９をなしている。稜線１０９にカムフォロワ１０３が位置する（当接する）状態が、可動部６９の中間状態である。したがって、可動部６９の回動範囲において、起立状態と中間状態との間の回動角度は、中間状態と倒伏状態との間の回動角度より大きい。
【００８６】
カムフォロワ１０３は、カム１０２の傾斜面１０５，１０６に沿って移動可能である。カムフォロワ１０３は、傾斜面１０５，１０６に当接するコロ１０７を有する。各図には詳細に現れていないが、コロ１０７の軸は、可動部６９の回動軌跡に直交しており、可動部６９の回動に伴って、コロ１０７は、傾斜面１０５，１０６を回転しながら移動する。
【００８７】
コイルバネ１０４は、バネ座１０８とカムフォロワ１０３との間において圧縮されており、その復元力によって、カムフォロワ１０３がカム１０２へ付勢される。カムフォロワ１０３のカム１０２に沿った移動により、コイルバネ１０４は、バネ座１０８とカムフォロワ１０３との間において、更に圧縮可能となっている。
【００８８】
コイルバネ１０４は、コロ１０７が稜線１０９にある（当接する）とき、つまり可動部６９が中間状態であるときに最も圧縮される。コロ１０７が傾斜面１０５に当接しているときには、コイルバネ１０４の付勢力は、コロ１０７を傾斜に沿って前側に移動させる力、すなわち可動部６９を中間状態から起立状態へ向かって回動させる力となる。コロ１０７が傾斜面１０６に当接しているときには、コイルバネ１０４の付勢力は、コロ１０７を傾斜に沿って後ろ側に移動させる力、すなわち可動部６９を中間状態から倒伏状態へ向かって回動させる力となる。つまり、可動部６９は、中間状態を境界として、起立状態又は倒伏状態へ向かって選択的に付勢されて回動する。
【００８９】
［原稿カバー１７と可動部６９との連動］
図１４に示されるように、スキャナ部１２において原稿カバー１７が閉じられた状態から、図１５に示されるように原稿カバー１７が開かれると、原稿カバー１７の後面側が起立状態の可動部６９に当接する。つまり、原稿カバー１７の後面は、開かれる向きへの回動に伴って閉じられた状態より後方へ移動する。起立状態の可動部６９は、閉じられた状態の原稿カバー１７の後面と当接又は近寄っているので、原稿カバー１７の後面が後方へ移動すると、可動部６９と当接し、起立状態の可動部６９が倒伏状態へ向けて押し倒される。
【００９０】
可動部６９の回動に伴って、カムフォロワ１０３のコロ１０７は、傾斜面１０５の前端側から後端側、つまり傾斜面１０６へ向かって移動する。この移動に伴って、カムフォロワ１０３はコイルバネ１０４の付勢力に抗して左右方向９の内側、つまり可動部６９の左右方向９の中央側へ移動する。図１５に示されるように原稿カバー１７が完全に開かれた状態において、図１２に示されるように、コロ１０７は、稜線１０９より前方にあり、傾斜面１０５と当接している。つまり、可動部６９は中間状態まで回動されていない。したがって、原稿カバー１７が完全に開かれた状態において、可動部６９は、コイルバネ１０４の付勢力によって起立状態へ付勢されており、原稿カバー１７の後面側に当接した状態に維持される。
【００９１】
原稿カバー１７が完全に開かれた状態から閉じられると、起立状態へ付勢されている可動部６９は原稿カバー１７に追従して起立状態へ復帰する。このようにして、原稿カバー１７の開閉動作に伴って、可動部６９が起立状態と中間状態との間で原稿カバー１７に追従して回動する。
【００９２】
図１６に示されるように、原稿カバー１７が閉じられた状態において、ユーザにより可動部６９が起立状態から中間状態を超えて倒伏状態まで回動されると、図１３に示されるように、カムフォロワ１０３のコロ１０７は、稜線１０９より後方となって傾斜面１０６に当接する。したがって、可動部６９は、コイルバネ１０４の付勢力により倒伏状態へ付勢されて、倒伏状態に維持される。
【００９３】
また、原稿カバー１７が閉じられた状態において、ユーザにより可動部６９が倒伏状態から中間状態を超えて起立状態まで回動されると、図１１に示されるように、カムフォロワ１０３のコロ１０７は、稜線１０９より前方となって傾斜面１０５と当接する。したがって、可動部６９は、コイルバネ１０４の付勢力によって起立状態へ付勢されて、起立状態に維持される。
【００９４】
［プリンタ部１１の動作］
以下、給送トレイ２０、バイパストレイ７０及び手差しトレイ８０をそれぞれ用いたときのプリンタ部１１の動作が説明される。
【００９５】
バイパストレイ７０及び手差しトレイ８０が用いられないときは、図１及び図６に示されるように、可動部６９が起立状態にされる。これにより、可動部６９の投影面積が小さくなるので、複合機１０の後面側のスペースを小さくすることができる。また、トレイカバー９４がバイパストレイ７０及び手差しトレイ８０の上端の開口を塞ぐ位置に回動される。なお、複合機１０の後面側に十分なスペースがあれば、バイパストレイ７０及び手差しトレイ８０が用いられないときでも可動部６９が倒伏状態にされたままであってもよい。
【００９６】
給送トレイ２０が用いられるときには、給送トレイ２０に所望のサイズの記録用紙がセットされる。具体的には、複数枚の記録用紙が積層された状態で、給送トレイ２０に支持される。記録用紙を支持する給送トレイ２０は、開口１３から筐体１４に挿入された状態にされる。この状態において、給送トレイ２０に載置された複数枚の記録用紙のうち最上位置の記録用紙に給送ローラ２５が当接する。プリンタ部１１は、ユーザの入力や印刷データなどに基づいて、給送トレイ２０から記録用紙を給送することを判定する。
【００９７】
印刷開始の指示を受け付けると、プリンタ部１１は不図示のモータを駆動して、給送ローラ２５、第１搬送ローラ対５４、及び第２搬送ローラ対５５を所定のタイミングで回転させる。給送ローラ２５の回転を受けて、給送トレイ２０から最上位置の記録用紙が搬送経路６５に給送される。搬送経路６５の湾曲路６５Ａに案内されて第１搬送ローラ対５４に記録用紙が到達する。第１搬送ローラ対５４に挟持されて記録部２４へ搬送された記録用紙に対して、記録ヘッド３９からインク滴が吐出されて所望の画像が記録される。画像記録を終えた記録用紙は、第２搬送ローラ対５５によって排出トレイ２１へ排出される。
【００９８】
バイパストレイ７０及び手差しトレイ８０が用いられるときは、図２及び図７に示されるように、可動部６９が倒伏状態にされる。これにより、バイパストレイ７０において支持面７４，９０が１つの平面をなし、また、手差しトレイ８０において、支持面８１，９１が一体となって記録用紙の支持面を構成する。トレイカバー９４は、バイパストレイ７０及び手差しトレイ８０の上端側の開口を開放する位置へ回動される。
【００９９】
バイパストレイ７０が用いられるときには、バイパストレイ７０に所望のサイズの記録用紙がセットされる。具体的には、複数枚の記録用紙が積層された状態で、バイパストレイ７０の支持面７４，９０に支持される。この状態において、バイパストレイ７０の給送ローラ７６が、支持面７４，９０に支持された複数枚の記録用紙のうち最上位置の記録用紙に当接する。また、分離片７２には、複数枚の記録用紙の下端が当接している。プリンタ部１１は、ユーザの入力や印刷データなどに基づいて、バイパストレイ７０から記録用紙を給送することを判定する。
【０１００】
印刷開始の指示を受け付けると、プリンタ部１１は不図示のモータを駆動して、給送ローラ７６、第１搬送ローラ対５４、及び第２搬送ローラ対５５を所定のタイミングで回転させる。給送ローラ７６の回転を受けて、バイパストレイ７０から最上位置の記録用紙がバイパス経路６６へ給送される。記録用紙はバイパス経路６６から搬送経路６５の直線路６５Ｂへ進入して第１搬送ローラ対５４に到達する。この間、バイパス経路６６及び直線路６５Ｂを形成する外側ガイド部材１８、後面カバー２２及びガイド部材３１が記録用紙を第１搬送ローラ対５４に向けて案内する。第１搬送ローラ対５４に挟持されて記録部２４へ搬送された記録用紙に対して、記録ヘッド３９からインク滴が吐出されて所望の画像が記録される。画像記録を終えた記録用紙は、第２搬送ローラ対５５によって排出トレイ２１へ排出される。
【０１０１】
手差しトレイ８０が用いられるときには、手差しトレイ８０に所望のサイズの記録用紙がセットされる。具体的には、１枚の記録用紙が手差しトレイ８０の支持面８１，９１に載置され、支持面８１，９１に沿って、バイパストレイ７０の給送ローラ７６と第１搬送ローラ対５４との間へ挿入される。具体的には、記録用紙の先端がバイパス経路６６から搬送経路６５へ進入して第１搬送ローラ対５４に当接するまで挿入される。記録用紙の先端が第１搬送ローラ対５４に当接するまで挿入された状態で、手差しトレイ８０の支持面８１，９１は、記録用紙を下方から支持する。プリンタ部１１は、ユーザの入力や印刷データなどに基づいて、手差しトレイ８０から記録用紙を給送することを判定する。また、プリンタ部１１は、手差しトレイ８０にセットされた記録用紙の挿入によって、第１搬送ローラ対５４の搬送向き上流に配置されたセンサ５６が記録用紙を検知していることに基づいて、手差しトレイ８０から記録用紙を給送することを判定してもよい。
【０１０２】
印刷開始の指示を受け付けると、プリンタ部１１は不図示のモータを駆動して、第１搬送ローラ対５４及び第２搬送ローラ対５５を所定のタイミングで回転させる。第１搬送ローラ６０が回転することによって、手差しトレイ８０にセットされた記録用紙が第１搬送ローラ対５４に挟持される、そして、記録部２４へ搬送された記録用紙に対して、記録ヘッド３９からインク滴が吐出されて所望の画像が記録される。画像記録を終えた記録用紙は、第２搬送ローラ対５５によって排出トレイ２１へ排出される。
【０１０３】
［実施形態の効果］
本実施形態によれば、開閉される原稿カバー１７に追従して、可動部６９が起立状態と中間状態との間で回動するので、状態変化する原稿カバー１７と可動部６９により構成されるバイパストレイ７０とを有する小型の複合機１０が実現される。
【０１０４】
また、連動機構１０１が、固定部６８に設けられたカム１０２と、可動部６９に設けられたカムフォロワ１０３と、カムフォロワ１０３をカム１０２へ付勢するコイルバネ１０４と、により構成されているので、簡易な構成によって連動機構１０１が実現される。
【０１０５】
また、可動部６９は、起立状態と中間状態との間の回動角度が、中間状態と倒伏状態との間の回動角度より大きいので、可動部６９が原稿カバー１７に追従可能な範囲が大きくなる。これにより、原稿カバー１７の回動範囲を大きくすることができる。
【０１０６】
また、原稿カバー１７が、筐体１４，１６の上方に配置されているので、原稿カバー１７の操作が容易である。また、バイパストレイ７０及び手差しトレイ８０が原稿カバー１７の後方に配置されており、原稿カバー１７の回動軸も後方であるので、原稿カバー１７を開くと、原稿カバー１７の前方から筐体１６，すなわちプラテンガラス３０へアクセスすることができる。また、原稿カバー１７に追従して回動する可動部６９が、前方から原稿カバー１７を操作するユーザ側へ回動することがない。また、バイパストレイ７０及び手差しトレイ８０から記録用紙が筐体１４の前方へ向かって搬送されるので、ユーザが、搬送後の記録用紙に筐体１４の前方からアクセスすることができる。
【０１０７】
また、複合機１０のように使用頻度が比較的高いフラットベッドスキャナを備えた構成において、原稿カバー１７の回動範囲にバイパストレイ７０及び手差しトレイ８０を配置することができる。
【０１０８】
また、可動部６９は、起立状態において支持面７４，８１，９０，９１が筐体１４の後面に近づいて起立し、倒伏状態において支持面７４，８１，９０，９１が筐体１４の後面から離れる向きへ起立状態より倒伏して傾斜するので、起立状態の可動部６９を効率的に小型化することができる。
【０１０９】
また、可動部６９にバイパストレイ７０及び手差しトレイ８０が設けられているので、これらを原稿カバー１７の回動範囲に配置することができる。
【０１１０】
また、固定部６８に、バイパストレイ７０に支持された記録用紙をバイパス経路６６へ給送する給送ローラ７６、アーム７８、及び駆動伝達部７９が設けられているので、給送ローラ７６への駆動伝達が安定する。
【０１１１】
また、起立状態の可動部６９の上端側を覆うトレイカバー９４が設けられているので、開口６７から筐体１４の内部へ塵埃が進入することが防止される。
【０１１２】
［第２実施形態］
以下、本発明の第２実施形態が説明される。第２実施形態では、前述された実施形態の連動機構１０１に代えて、連動機構１１０が設けられている点において第１実施形態と相違する。したがって、以下には、主として連動機構１１０の構成が説明され、その他の説明が省略される。第２実施形態において前述された実施形態と同じ参照符号で示される部材は、前述された実施形態において説明された部材と同様の構成である。
【０１１３】
図１７〜図１９に示されるように、固定部６８及び可動部６９には、連動機構１１０が設けられている。連動機構１１０は、可動部６９を、起立状態と倒伏状態との間である中間状態（第２状態）を境界として、起立状態から中間状態の間では起立状態へ向けて付勢し、中間状態から倒伏状態の間では倒伏状態へ向けて付勢するものである。連動機構１１０が付勢部に相当する。
【０１１４】
連動機構１１０は、可動部６９の側壁８６，８７付近に一対が設けられている。一対の連動機構１１０は、左右方向９において線対称な構成であるので、以下には一方の連動機構１１０の構成のみが説明される。
【０１１５】
連動機構１１０は、可動部６９に設けられたカム１１１と、固定部６８に設けられたカムフォロワ１１２と、カムフォロワ１１２をカム１１１へ向けて付勢するコイルバネ１１３と、を有する。コイルバネ１１３が、弾性部材に相当する。コイルバネ１１３は、固定部６８に設けられたバネ座１１４とカムフォロワ１１２との間において、上下方向７に沿って伸縮可能に設けられている。固定部６８に対する可動部６９の回動と共に、カム１１１が移動する。
【０１１６】
カム１１１は、可動部６９において前後方向８に渡って延出されており、前後方向８において固定部６８に対する位置が変位する。カム１１１の上下方向７の下面がカム面として機能する。カム面は、前後方向８の後ろ側から第１カム面１１５、第２カム面１１６、第３カム面１１７が順に配置されている。
【０１１７】
図１７に示されるように、可動部６９が起立状態において、第１カム面１１５は、可動部６９において前後方向８の後ろ側に位置しており、前端が後端よりも上下方向７の上方にあってバネ座１１４から遠い平面である。つまり、第１カム面１１５は、前端が上下方向７においてバネ座１１４から遠ざかるように傾斜した平面である。
【０１１８】
第２カム面１１６は、可動部６９において前後方向８の中央に位置しており、前端が後端よりも上下方向７の下方にあってバネ座１１４に近い平面である。つまり、第２カム面１１６は、前端が上下方向７においてバネ座１１４に近づくように傾斜した平面である。第１カム面１１５の前端と第２カム面１１６の後端とは連続しており、これらの境界が上下方向７の上向きに凸形状の稜線１１８をなしている。第１カム面１１５及び第２カム面１１６において、稜線１１８は、バネ座１１４から最も遠い位置にある。
【０１１９】
第３カム面１１７は、可動部６９において前後方向８の前側に位置しており、前端が後端よりバネ座１１４から遠い平面である。第３カム面１１７は、可動部６９が起立状態のときには、前端と後端とが上下方向７においてほぼ同じ位置であるが、可動部６９が倒伏状態になると（図１９参照）、前端が上下方向７においてバネ座１１４から遠ざかるように傾斜した平面である。第２カム面１１６の前端と第３カム面１１７の後端とは連続しており、これらの境界が上下方向７の下向きに凸形状の稜線１１９をなしている。第２カム面１１６及び第３カム面１１７において、稜線１１９は、バネ座１１４から最も近い位置にある。稜線１１９にカムフォロワ１１２が位置する状態が、可動部６９の中間状態である。なお、第３カム面１１７の前端は、可動部６９の内壁まで延出されている。
【０１２０】
カムフォロワ１１２は、カム１１１の第１カム面１１５、第２カム面１１６及び第３カム面１１７に沿って移動可能である。カムフォロワ１１２の上端はドーム形状に丸められている。
【０１２１】
コイルバネ１１３は、バネ座１１４とカムフォロワ１１２との間において圧縮されており、その復元力によって、カムフォロワ１１２がカム１１１へ付勢される。カムフォロワ１１２のカム１１１に沿った移動により、コイルバネ１１３は、バネ座１１４とカムフォロワ１１２との間において、更に圧縮可能となっている。
【０１２２】
コイルバネ１１３は、カムフォロワ１１２の上端が第１カム面１１５及び第２カム面１１６に当接し、かつ稜線１１８と相対する位置にあるときに最も伸長する。また、コイルバネ１１３は、カムフォロワ１１２の上端が稜線１１９に当接しているときに最も圧縮される。カムフォロワ１１２の上端が第２カム面１１６に当接しているときには、コイルバネ１１３の付勢力は、可動部６９を中間状態から起立状態へ向かって回動させる力となる。カムフォロワ１１２の上端が第３カム面１１７に当接しているときには、コイルバネ１１３の付勢力は、可動部６９を中間状態から倒伏状態へ向かって回動させる力となる。つまり、可動部６９は、中間状態を境界として、起立状態又は倒伏状態へ選択的に付勢されて回動する。
【０１２３】
なお、図１７から図１９においては省略されているが、図２に示されるように、可動部６９の側壁８６，８７の間に渡って支持部材８９が設けられている。支持部材８９は、その下端側が固定部６８に回動可能に支持されており、可動部６９とは独立して回動される。支持部材８９は、支持面９０が上下方向７に沿って垂直になる起立状態と、支持面９０が載置面に対して傾く倒伏状態に状態が変化する。倒伏状態において、支持部材８９は、固定部６９に左右方向９に渡って設けられた補助部材１２０に支持される。支持部材８９の支持面９１側には、サイドガイド９３が設けられている。
【０１２４】
［原稿カバー１７と可動部６９との連動］
図１７に示されるように、スキャナ部１２において原稿カバー１７が閉じられた状態から、図１８に示されるように原稿カバー１７が開かれると、原稿カバー１７の後面側が起立状態の可動部６９に当接する。つまり、原稿カバー１７の後面は、開かれる向きへの回動に伴って閉じられた状態より後方へ移動する。起立状態の可動部６９は、閉じられた状態の原稿カバー１７の後面と当接又は近寄っているので、原稿カバー１７の後面が後方へ移動すると、可動部６９と当接し、起立状態の可動部６９が倒伏状態へ向けて押し倒される。
【０１２５】
可動部６９の回動に伴って、カムフォロワ１１２の上端は、稜線１１８に相対した位置から第２カム面１１６の前端側、つまり稜線１１９へ向かって移動する。この移動に伴って、カムフォロワ１１２はコイルバネ１１３の付勢力に抗して上下方向７の下向きに移動する。図１８に示されるように原稿カバー１７が完全に開かれた状態において、カムフォロワ１１２の上端は、稜線１１９より後方にあり、第２カム面１１６と当接している。つまり、可動部６９は中間状態まで回動されていない。したがって、原稿カバー１７が完全に開かれた状態において、可動部６９は、コイルバネ１１３の付勢力によって起立状態へ向けて付勢されており、原稿カバー１７の後面側に当接した状態に維持される。
【０１２６】
完全に開かれた状態の原稿カバー１７は、倒伏状態の支持部材８８に設けられたサイドガイド９３と当接する。したがって、原稿カバー１７が手差しトレイ８０にセットされたシートと当接することがない。完全に開かれた状態の原稿カバー１７は、サイドガイド９３及び補助部材１２０を介して固定部６８に支持される。
【０１２７】
原稿カバー１７が完全に開かれた状態から閉じられると、起立状態へ向けて付勢されている可動部６９は原稿カバー１７に追従して起立状態へ復帰する。このようにして、原稿カバー１７の開閉動作に伴って、可動部６９が起立状態と中間状態に至る手前側との間で原稿カバー１７に追従して回動する。
【０１２８】
図１９に示されるように、原稿カバー１７が閉じられた状態において、ユーザにより可動部６９が起立状態から中間状態を超えて倒伏状態まで回動されると、カムフォロワ１１２の上端は、稜線１１９より前方となって第３カム面１１７に当接する。したがって、可動部６９は、コイルバネ１１３の付勢力により倒伏状態へ向けて付勢されて、倒伏状態に維持される。
【０１２９】
また、原稿カバー１７が閉じられた状態において、ユーザにより可動部６９が倒伏状態から中間状態を超えて起立状態まで回動されると、図１７に示されるように、カムフォロワ１１２の上端は、稜線１１８より後方となって第２カム面１１６と当接する。したがって、可動部６９は、コイルバネ１１３の付勢力によって起立状態へ付勢されて、起立状態に維持される。
【０１３０】
［変形例］
なお、前述された実施形態では、筐体１６に回動可能に設けられた原稿カバー１７が可動部６９と当接し、可動部６９が原稿カバー１７の開閉に追従する構成が示されているが、例えば、スキャナ部１２が設けられておらず、プリンタ部１１のみによって画像記録装置が構成されている実施態様において、筐体１４の上側に上カバーとして配置された筐体１６が、紙詰まりの解消やメンテナンスなどを目的として、筐体１４の上側を開放できるように回動可能な構成であってもよい。このような実施態様においては、筐体１６の回動範囲に可動部６９が配置され、筐体１６の回動に可動部６９が追従するように構成される。
【０１３１】
また、例えば、プリンタ部１１のジャム処理やメンテナンスのために、スキャナ部１２がプリンタ部１１に対して移動可能に設けられる構成であってもよい。このような構成において、スキャナ部１２は必ずしもプリンタ部１１に対して回動可能な構成である必要なく、プリンタ部１１に対して移動可能に構成されていればよい。例えば、図２０に示されるように、平行リンク１２１によって、スキャナ部１２がプリンタ部１１に対して上下方向７の上方かつ前後方向９の後方へ平行に移動可能に構成されていてもよい。このようなスキャナ部１２の平行移動において、スキャナ部１２が可動部６９と当接する態様においても前述された実施形態と同様の作用効果が奏される。
【０１３２】
また、連動機構の構成については、本実施形態に限定されない。連動機構は、可動部の移動に伴って、可動部が起立状態又は倒伏状態のいずれか一方へ向かう向きへ付勢力を付与する機構であれば、本実施形態以外の構成が採用されてもよい。
【０１３３】
また、本実施形態においては、バイパストレイ７０及び手差しトレイ８０が固定部６８及び可動部６９によって構成されているが、筐体１６に直接に可動部６９が回動可能に支持されており、可動部６９のみによってバイパストレイ７０及び手差しトレイ８０が構成されてもよい。
【符号の説明】
【０１３４】
１０  複合機（シート搬送装置）
１１  プリンタ部（画像記録装置）
１２  スキャナ部（フラットベッドスキャナ）
１４，１６  筐体（第１筐体）
１７  原稿カバー（第２筐体）
２４  記録部
３０  プラテン
５４  第１搬送ローラ対（搬送部）
５５  第２搬送ローラ対（搬送部）
６５  搬送経路
６８  固定部
６９  可動部
７０  バイパストレイ（シート支持部）
７４，８１，９０，９１  支持面
７６  給送ローラ（給送部）
７７  駆動軸（給送部）
７８  アーム（給送部）
７９  駆動伝達部（給送部）
８０  手差しトレイ（補助シート支持部）
９３  サイドガイド
９４  トレイカバー
１０１，１１０  連動機構（付勢部）
１０２，１１１  カム
１０３，１１２  カムフォロワ
１０４，１１３  コイルバネ（弾性部材）
【図１】
2014209710.tif 000003
【図２】
2014209710.tif 000004
【図３】
2014209710.tif 000005
【図４】
2014209710.tif 000006
【図５】
2014209710.tif 000007
【図６】
2014209710.tif 000008
【図７】
2014209710.tif 000009
【図８】
2014209710.tif 000010
【図９】
2014209710.tif 000011
【図１０】
2014209710.tif 000012
【図１１】
2014209710.tif 000013
【図１２】
2014209710.tif 000014
【図１３】
2014209710.tif 000015
【図１４】
2014209710.tif 000016
【図１５】
2014209710.tif 000017
【図１６】
2014209710.tif 000018
【図１７】
2014209710.tif 000019
【図１８】
2014209710.tif 000020
【図１９】
2014209710.tif 000021
【図２０】
2014209710.tif 000022